(57)【要約】【課題】水分を測定する穀物の種類の変更によって穀粒の大きさが変わる場合においても、切り替え作業を容易に行うことのできる水分測定装置及び穀物乾燥機を提供する。【解決手段】  このように、本実施形態の水分測定装置によれば、複数の穀粒移動板４３のそれぞれの保持開口４３ａは、保持する穀粒の大きさに応じて互いに異なる大きさに形成され、所定の動作時に互いに異なる連通孔４２ａ１，４２ｂ１の上を最初に通過する。これにより、含まれる水分を測定する穀粒の大きさを変更する場合に、穀粒移動板４３のみを変更することによって、ホッパ４１に投入された穀粒を対応する水分測定部３１に供給することできるので、部品点数の低減を図ることができるとともに、穀粒の水分を測定する際における誤設定を防止することが可能となる。【選択図】図１０
2020034254.tif 000002
【特許請求の範囲】
【請求項１】
それぞれ互いに異なる大きさの穀粒に含まれる水分を測定する複数の水分測定部を備えた水分測定装置であって、
水分を測定する穀粒が投入されるホッパと、
ホッパと複数の水分測定部のそれぞれとを連通する複数の連通路が設けられ、ホッパに投入された穀粒をそれぞれの水分測定部に供給する連通部材と、
それぞれホッパに対して着脱自在に設けられるとともに、ホッパ内に投入された穀粒を保持する保持開口が設けられた板状に形成され、ホッパ内において所定の動作を行うことによって、保持開口において保持した穀粒を移動させる複数の穀粒移動部材と、を備え、
ホッパの内面には、複数の連通路をそれぞれホッパ内の空間に連通させる複数の連通孔が設けられ、
複数の穀粒移動部材のそれぞれの保持開口は、保持する穀粒の大きさに応じて互いに異なる大きさに形成され、所定の動作時に互いに異なる連通孔の上を最初に通過する
水分測定装置。
【請求項２】
複数の穀粒移動部材は、それぞれ、円板状に形成され、所定の動作として、ホッパ内において径方向中央部を中心に回転動作を行うものであり、互いに径方向に異なる位置に保持開口が形成され、
複数の連通孔は、それぞれ、複数の穀粒移動部材のそれぞれの保持開口に対応する位置に設けられている
請求項１に記載の水分測定装置。
【請求項３】
複数の水分測定部は、それぞれ穀粒を潰す対を成すローラを有している
請求項１または２に記載の水分測定装置。
【請求項４】
穀物を収容して乾燥する穀物乾燥機であって、
請求項１乃至３のいずれかに記載の水分測定装置を備え、
水分測定装置によって収容された穀物に含まれる水分を測定する
穀物乾燥機。
【発明の詳細な説明】
【技術分野】
【０００１】
本発明は、穀物に含まれる水分を測定するための水分測定装置及び穀物乾燥機に関するものである。
【背景技術】
【０００２】
従来、この種の水分測定装置としては、例えば、穀物を乾燥させるための穀物乾燥機に設けられ、穀物の乾燥の程度を確認するために、収容された穀物の一部の穀粒に含まれる水分を測定するものが知られている（例えば、特許文献１参照）。
【０００３】
前記水分測定装置では、対を成すローラと、対を成すローラの間における電気抵抗を測定する測定部と、を備えた水分測定機構を備えている。前記水分測定装置は、水分測定機構において、対を成すローラの外周面の間で穀粒を潰し、測定部によって一対のローラの間における電気抵抗を測定することで、潰した状態の穀粒に含まれる水分を電気的に測定している。
【０００４】
前記水分測定装置では、対を成すローラの外周面の間で穀粒を挟んで潰すことによって穀粒に含まれる水分を測定しているため、水分を測定する穀粒の大きさに応じて対を成すローラの外周面の間隔を設定する必要がある。したがって、例えば、籾や小麦等の小粒の穀物に含まれる水分を測定する場合には、対を成すローラの外周面の間隔を小さく設定し、大豆やトウモロコシ等の大粒の穀物に含まれる水分を測定する場合には、対を成すローラの間隔を大きく設定する必要がある。
【０００５】
前記水分測定装置では、水分を測定する穀粒が投入されるホッパと、水分を測定する穀粒の大きさに応じて対を成すローラの間隔が互いに異なる複数の水分測定部と、ホッパと複数の水分測定部のそれぞれとを連通し、ホッパに投入された穀粒をそれぞれの水分測定部に供給する複数の連通路と、複数の連通路のうちの一の連通路の端部を除く他の連通路の端部を閉鎖する連通路閉鎖部材と、穀粒を保持する保持開口が設けられ、ホッパ内において回転動作をさせることで保持開口に保持した穀粒を一の連通路の端部に移動させる穀粒移動板と、を備えている。前記水分測定装置では、互いに穀粒の大きさが異なる複数種類の穀物の水分を測定することが可能である。
【先行技術文献】
【特許文献】
【０００６】
【特許文献１】特開２０１４−１６９８８５号公報
【発明の概要】
【発明が解決しようとする課題】
【０００７】
前記水分測定装置では、水分を測定する穀物の種類の変更によって穀粒の大きさが変わる場合に、連通路閉鎖部材による閉鎖する連通路の切り替え作業と、穀粒の大きさに合った大きさの保持開口を有する穀粒移動板に切り替える切り替え作業と、の二つの切り替え作業が発生する。
【０００８】
本発明の目的とするところは、水分を測定する穀物の種類の変更によって穀粒の大きさが変わる場合においても、切り替え作業を容易に行うことのできる水分測定装置及び穀物乾燥機を提供することにある。
【課題を解決するための手段】
【０００９】
本発明の水分測定装置は、前記目的を達成するために、それぞれ互いに異なる大きさの穀粒に含まれる水分を測定する複数の水分測定部を備えた水分測定装置であって、水分を測定する穀粒が投入されるホッパと、ホッパと複数の水分測定部のそれぞれとを連通する複数の連通路が設けられ、ホッパに投入された穀粒をそれぞれの水分測定部に供給する連通部材と、それぞれホッパに対して着脱自在に設けられるとともに、ホッパ内に投入された穀粒を保持する保持開口が設けられた板状に形成され、ホッパ内において所定の動作を行うことによって、保持開口において保持した穀粒を移動させる複数の穀粒移動部材と、を備え、ホッパの内面には、複数の連通路をそれぞれホッパ内の空間に連通させる複数の連通孔が設けられ、複数の穀粒移動部材のそれぞれの保持開口は、保持する穀粒の大きさに応じて互いに異なる大きさに形成され、所定の動作時に互いに異なる連通孔の上を最初に通過する。
【００１０】
これにより、含まれる水分を測定する穀粒の大きさを変更する場合に、穀粒移動部材のみの変更で、ホッパに投入された穀粒が対応する水分測定部に供給される。
【発明の効果】
【００１１】
本発明の水分測定装置によれば、含まれる水分を測定する穀粒の大きさを変更する場合に、穀粒移動部材のみを変更することによって、ホッパに投入された穀粒を対応する水分測定部に供給することできるので、部品点数の低減を図ることができるとともに、穀粒の水分を測定する際における誤設定を防止することが可能となる。
【図面の簡単な説明】
【００１２】
【図１】本発明の一実施形態を示す穀物乾燥機の概略構成図である。
【図２】水分測定装置の全体斜視図である。
【図３】水分測定装置の側面断面図である。
【図４】水分測定装置の正面断面図である。
【図５】複数の水分測定部を説明する図である。
【図６】ホッパの正面図である。
【図７】第１穀粒移動板の正面図である。
【図８】第２穀粒移動板の正面図である。
【図９】第１連通孔に小粒の穀粒を移動させる動作を説明する図である。
【図１０】第２連通孔に大粒の穀粒を移動させる動作を説明する図である。
【発明を実施するための形態】
【００１３】
図１乃至図１０は、本発明の一実施形態を示すものである。
【００１４】
本発明の穀物乾燥機１は、図１に示すように、穀物を貯留するための貯留部２と、穀物を乾燥させるための乾燥部３と、乾燥部３から降下する穀物を集めるための集穀部４と、集穀部４に集められた穀物を貯留部２に戻すための揚穀部５と、を備えている。
【００１５】
貯留部２は、上部側に位置し穀物が収容される。
【００１６】
乾燥部３は、貯留部２の下方に設けられ、貯留部２から循環動作によって降下する穀物を、例えば、遠赤外線や熱風によって加熱し、穀物に含まれる水分を低減させる。
【００１７】
集穀部４は、乾燥部３の下方に設けられ、乾燥部３から循環動作によって降下する穀物が集められる。
【００１８】
揚穀部５は、貯留部２、乾燥部３及び集穀部４の側面側を上下方向に延びるように設けられ、集穀部４に集められた穀物を上方に搬送し、貯留部２の上部に放出する。また、揚穀部５の下部には、穀物乾燥機１によって乾燥させる穀物を投入するための投入口６が設けられている。投入口６から投入された穀物は、揚穀部５によって上方に搬送され、貯留部２の上部に放出される。さらに、揚穀部５の上部には、内部に収容されている穀物を搬出する搬出部が設けられている。
【００１９】
このように構成された穀物乾燥機１は、貯留部２、乾燥部３、集穀部４及び揚穀部５の順に穀物を循環させるようになっている。
【００２０】
本発明の水分測定装置１０は、図１に示すように、揚穀部５の側面の下側に設けられている。水分測定装置１０は、所定時間毎に、揚穀部５において上方に搬送される穀物の一部の穀粒に含まれる水分を測定するものである。穀物乾燥機１は、穀物の乾燥動作中において、水分測定装置１０によって測定された穀粒の水分が設定された水分量または水分率に到達したことを検出して、乾燥部３、集穀部４及び揚穀部５の動作を停止することが可能である。
【００２１】
水分測定装置１０は、図２乃至図４に示すように、揚穀部５の側面から突出するように形成されたハウジング２０と、ハウジング２０内に設けられ、穀粒に含まれる水分を測定するための水分測定機構３０と、水分測定機構３０に向けて穀粒を供給するための穀粒供給機構４０と、を備えている。
【００２２】
ハウジング２０は、図２に示すように、上下方向に延びる箱型の形状を有している。ハウジング２０は、図３に示すように、第１側面２１を揚穀部５に対向させた姿勢で揚穀部５の側壁に取り付けられている。ハウジング２０の底面２２は、第１側面２１に対向する第２側面２３から第１側面２１に向かって下り傾斜となる。ハウジング２０の第１側面２１に隣り合う第３側面２４には、外側からハウジング２０内を視認可能とするための覗き窓２４ａが設けられている。ハウジング２０の内部は、図４に示すように、仕切壁２６によって、第３側面２４側の第１空間２０ａと、第３側面２４と対向する第４側面２５側の第２空間２０ｂと、に仕切られている。ハウジング２０の第１側面２１における第１空間２０ａ側の上部には、穀粒を取り入れるための取入口２１ａが設けられている。また、ハウジング２０の第１側面２１における第１空間２０ａ側の下部には、水分測定機構３０によって水分を測定した穀粒を排出するための排出口２１ｂが設けられている。
【００２３】
水分測定機構３０は、水分を測定する穀粒の大きさ毎に設けられ、穀粒を潰すための複数の水分測定部３１と、複数の水分測定部３１を駆動させる動力源としての電動モータ３２と、電動モータ３２の駆動力を複数の水分測定部３１に伝達するための駆動力伝達機構３３と、を有している。
【００２４】
複数の水分測定部３１は、電動モータ３２の駆動力を受けて駆動する第１回転軸３１ａ
及び第２回転軸３１ｂと、第１回転軸３１ａに支持される第１ローラ３１ｃと、第２回転軸３１ｂに支持される第２ローラ３１ｄ及び第３ローラ３１ｅと、第１ローラ３１ｃと第２ローラ３１ｄとの間、または、第１ローラ３１ｃと第３ローラ３１ｅとの間において電気抵抗を測定する測定部３１ｆと、を有している。
【００２５】
第１回転軸３１ａ及び第２回転軸３１ｂは、それぞれ金属製であり、第１空間２０ａにおいて、それぞれの中心軸が互いに水平方向に平行に並ぶように配置されている。第１回転軸３１ａ及び第２回転軸３１ｂは、それぞれの一端側が、仕切壁２６に回転自在に支持されている。
【００２６】
第１ローラ３１ｃは、第１回転軸３１ａの外周部に固定される金属製の円筒状の部材である。第１ローラ３１ｃの外周部には、例えば、アヤ目等の転造式のローレット加工が施されている。また、第１ローラ３１ｃの近傍には、第１ローラ３１ｃの外周面に付着した穀粒の破片を除去するための回転ブラシ３１ｃ１及びスクレーパ３１ｃ２が設けられている。
【００２７】
第２ローラ３１ｄは、第２回転軸３１ｂの外周部に固定される金属製の円筒状の部材である。第２ローラ３１ｄは、軸方向の寸法が、第１ローラ３１ｃの軸方向の寸法の略半分である。第２ローラ３１ｄの外周部には、図５に示すように、例えば、斜目、平目等の転造式のローレット加工によって溝３１ｄ１が形成されている。溝３１ｄ１は、第１ローラ３１ｃの外周部と第２ローラ３１ｄの外周部との間で籾や小麦等の小粒の穀粒を潰すことが可能な深さ寸法に形成されている。
【００２８】
第３ローラ３１ｅは、第２回転軸３１ｂの外周部に固定される金属製の円筒状の部材である。第３ローラ３１ｅは、軸方向の寸法が、第１ローラ３１ｃの軸方向の寸法の略半分であり、第２ローラ３１ｄの軸方向の寸法と略同一である。第３ローラ３１ｅの外周部には、図５に示すように、例えば、斜目、平目等の切削式のローレット加工によって溝３１ｅ１が形成されている。溝３１ｅ１は、第１ローラ３１ｃの外周部と第３ローラ３１ｅの外周部との間で大豆やトウモロコシ等の大粒の穀粒を潰すことが可能な、第２ローラ３１ｄの溝３１ｄ１よりも大きな深さ寸法に形成されている。
【００２９】
第２ローラ３１ｄ及び第３ローラ３１ｅは、図５に示すように、第２回転軸３１ｂの軸方向に並べられている。本実施形態において、複数の水分測定部３１は、第１ローラ３１ｃの外周部と第２ローラ３１ｄの外周部の間を第１水分測定部３１Ａとし、第１ローラ３１ｃの外周部と第３ローラ３１ｅの外周部との間を第２水分測定部３１Ｂとしている。
【００３０】
また、第２ローラ３１ｄ及び第３ローラ３１ｅの近傍には、第１ローラ３１ｃの外周面に付着した穀粒の破片を除去するための固定ブラシ３１ｄ２及びスクレーパ３１ｄ３が設けられている。
【００３１】
さらに、複数の水分測定部３１は、それぞれ、穀粒とは異なる石や金属片等の異物が供給された場合に、異物を除去するための異物除去構造を有している。異物除去構造は、第１ローラ３１ｃの外周部の一部、第２ローラ３１ｄ及び第３ローラ３１ｅの外周部の一部、または、第１ローラ３１ｃ、第２ローラ３１ｄ及び第３ローラ３１ｅの外周部の一部、を平面となるように切り欠く、所謂Ｄカット加工を施すことによって形成されている。
【００３２】
複数の水分測定部３１では、第１回転軸３１ａ及び第２回転軸３１ｂを駆動して穀粒の水分を測定している状態で異物が供給されると、異物がローラ３１ｃ，３１ｄ，３１ｅに噛み込んで第１回転軸３１ａ及び第２回転軸３１ｂの回転が規制される。複数の水分測定部３１では、第１回転軸３１ａ及び第２回転軸３１ｂの回転が規制された状態を検知して、水分を測定する際の第１回転軸３１ａ及び第２回転軸３１ｂの回転方向と逆方向に第１回転軸３１ａ及び第２回転軸３１ｂを回転させる。これにより、水分測定部３１に投入された異物は、第１ローラ３１ｃと第２ローラ３１ｄとの間、または、第１ローラ３１ｃと第３ローラ３１ｅとの間において、Ｄカットによって形成された隙間を落下し、水分測定部３１から除去される。
【００３３】
測定部３１ｆは、第１回転軸３１ａに接続された第１測定点３１ｆ１と第２回転軸３１ｂに接続された第２測定点３１ｆ２との間の電気抵抗を測定する。測定部３１ｆは、第１ローラ３１ｃと第２ローラ３１ｄとの間、または、第１ローラ３１ｃと第３ローラ３１ｅとの間に穀粒が挟まれている状態で、第１測定点３１ｆ１と第２測定点３１ｆ２との間に電気回路が形成される。測定部３１ｆは、第１測定点３１ｆ１と第２測定点３１ｆ２との間の電気抵抗の抵抗値を検出することによって、穀粒に含まれる水分量または水分率を測定する。
【００３４】
電動モータ３２は、図３及び図４に示すように、第１空間２０ａの上部に設けられ、仕切壁２６に固定されている。
【００３５】
駆動力伝達機構３３は、複数の歯車から構成され、電動モータ３２の回転軸が連結されるとともに、第１回転軸３１ａ及び第２回転軸３１ｂが連結されている。駆動力伝達機構３３は、第２空間２０ｂに設けられ、仕切壁２６に固定されている。
【００３６】
穀粒供給機構４０は、図３に示すように、穀粒が投入されるホッパ４１と、ホッパ４１内と複数の水分測定部３１のそれぞれを連通する複数の連通路４２ａ，４２ｂが形成された連通部材４２と、ホッパ４１に投入された穀粒をホッパ４１内において所定の連通路に移動させるための複数の穀粒移動部材としての穀粒移動板４３と、を備えている。
【００３７】
ホッパ４１は、ハウジング２０の上部側において揚穀部５側に設けられている。ホッパ４１は、一端側が閉鎖されると共に他端側が開放された筒形状を有している。ホッパ４１は、一部が取入口２１ａを介して揚穀部５側に張り出しており、筒形状の一端側が斜め下方に向けられている。ホッパ４１の他端側の開口は、揚穀部５において斜め上方に向いている。ホッパ４１には、揚穀部５からホッパ４１内への穀粒の投入量を抑制するために、他端側の開口の一部を閉鎖する閉鎖板４１ａが設けられている。
【００３８】
連通部材４２は、ホッパ４１の一端と複数の水分測定部３１の上方を連通する通路が形成された部材である。具体的には、ハウジング２０の第１側面２１側から見て右側にホッパ４１と第１水分測定部３１Ａとを連通する第１連通路４２ａが形成され、左側にホッパ４１と第２水分測定部３１Ｂとを連通する第２連通路４２ｂが形成されている。また、連通部材４２のホッパ４１側の端部は、ホッパ４１の一端面の上部側に接続されており、図６に示すように、ホッパ４１の一端面の上部の右側に第１連通路４２ａの第１連通孔４２ａ１が形成され、第１連通孔４２ａ１の左側に第２連通路４２ｂの第２連通孔４２ｂ１が形成されている。ホッパ４１の一端面において、第２連通孔４２ｂ１は、第１連通孔４２ａ１の径方向の配置よりも径方向内側まで開口されている。
【００３９】
複数の穀粒移動板４３は、図７及び図８に示すように、ホッパ４１の一端側の内径寸法と略同一の外径寸法を有する円板状の部材からなり、径方向中心部を中心として回転自在にホッパ４１に着脱自在に支持されている。穀粒移動板４３は、電動モータ３２の動力が伝達されることで、正逆回転可能となっている。穀粒移動板４３は、ホッパ４１に投入された穀粒を保持するとともに、回転動作によって穀粒をホッパ４１内の一端面に沿って移動させるための保持開口４３ａが設けられている。保持開口４３ａは、穀粒移動板４３の外周部を切り欠いたり、径方向の所定位置を穿孔したりすることによって形成される。穀粒移動板４３は、移動させる穀粒の大きさ及びホッパ４１内の一端面における連通孔４２ａ１，４２ｂ１の位置に応じて、保持開口４３ａの大きさ及び位置が決定される。保持開口４３ａは、１つの穀粒が保持される大きさに形成される。
【００４０】
本実施形態において、穀粒移動板４３は、籾や小麦等の小粒の穀粒を第１連通孔４２ａ１に移動させるための第１穀粒移動板４３−１と、大豆やトウモロコシ等の大粒の穀粒を第２連通孔４２ｂ１に移動させるための第２穀粒移動板４３−２と、が用いられる。第１穀粒移動板４３−１及び第２穀粒移動板４３−２は、含まれる水分を計測する穀粒の大きさに応じて、ホッパ４１に対して付け替えられる。
【００４１】
第１穀粒移動板４３−１は、外周部を切り欠くことによって保持開口４３ａが形成されている。第１穀粒移動板４３−１は、互いに周方向に所定の間隔をおいて複数の保持開口４３ａが形成されている。
【００４２】
第２穀粒移動板４３−２は、第１穀粒移動板４３−１における保持開口４３ａよりも径方向内側に保持開口４３ａが形成されている。第２穀粒移動板４３−２は、周方向に１つの保持開口４３ａが形成されている。第２穀粒移動板４３−２の保持開口４３ａは、第１穀粒移動板４３−１の保持開口４３ａよりも大きな開口である。
【００４３】
以上のように構成された水分測定装置１０では、穀物乾燥機１によって穀物を乾燥させる運転を行う場合に、乾燥させる穀物の種類に合わせて、穀粒移動板４３をホッパ４１に取り付ける。乾燥させる穀物が籾や小麦等の小粒の穀粒である場合には、第１穀粒移動板４３−１をホッパ４１に取り付ける。また、乾燥させる穀物が大豆やトウモロコシ等の大粒の穀粒である場合には、第２穀粒移動板４３−２をホッパ４１に取り付ける。
【００４４】
穀物乾燥機１による穀物の乾燥運転時において、水分測定装置１０では、ホッパ４１内に穀粒が投入された状態で、穀粒移動板４３を回転させるとともに、水分測定機構３０を駆動させることによって、穀粒に含まれる水分を測定する。
【００４５】
穀粒が投入されたホッパ４１内において穀粒移動板４３を反時計まわりに回転させると、穀粒移動板４３の保持開口４３ａがホッパ４１内の下側を通過することで、ホッパ４１内の１つの穀粒が、保持開口４３ａに保持された状態となる。
【００４６】
保持開口４３ａに保持された１つの穀粒は、穀粒移動板４３の回転によって、ホッパ４１内の一端面に沿って上方に移動する。ホッパ４１内の一端面に沿って移動する保持開口４３ａに保持された穀粒は、ホッパ４１内の一端面において、保持開口４３ａの位置が連通孔４２ａ１，４２ｂ１の位置に合うと、連通路４２ａ，４２ｂを通過して水分測定機構３０に供給され、いずれかの水分測定部３１Ａ，３１Ｂにおいて水分が測定される。
【００４７】
ここで、ホッパ４１内に第１穀粒移動板４３−１が取り付けられている場合には、保持開口４３ａは、外周部に設けられているため、ホッパ４１内の下側から反時計回りに移動すると、図９に示すように、最初に第１連通孔４２ａ１の上を通過ことになる。このため、保持開口４３ａに保持された穀粒Ｓは、第１連通孔４２ａ１を介して第１連通路４２ａを通って第１水分測定部３１Ａに供給される。第１水分測定部３１Ａに供給された穀粒Ｓは、第１ローラ３１ｃと第２ローラ３１ｄとの間で潰された状態で電気抵抗を測定することによって、含まれる水分が測定される。第１ローラ３１ｃと第２ローラ３１ｄとの間で潰された穀粒Ｓは、排出口２１ｂからハウジング２０外に排出される。
【００４８】
また、ホッパ４１内に第２穀粒移動板４３−２が取り付けられている場合には、保持開口４３ａは、第１穀粒移動板４３−１の保持開口４３ａよりも径方向内側に設けられているため、ホッパ４１内の下側から反時計回りに移動すると、図１０に示すように、最初に第２連通孔４２ｂ１の上を通過することになる。このため、保持開口４３ａに保持された穀粒Ｌは、第２連通孔４２ｂ１を介して第１連通路４２ｂを通過して第２水分測定部３１Ｂに供給される。第２水分測定部３１Ｂに供給された穀粒Ｌは、第１ローラ３１ｃと第３ローラ３１ｅとの間で潰された状態で電気抵抗を測定することによって、含まれる水分が測定される。第１ローラ３１ｃと第３ローラ３１ｅとの間で潰された穀粒Ｌは、排出口２１ｂからハウジング２０外に排出される。
【００４９】
このように、本実施形態の水分測定装置によれば、複数の穀粒移動板４３のそれぞれの保持開口４３ａは、保持する穀粒の大きさに応じて互いに異なる大きさに形成され、所定の動作時に互いに異なる連通孔４２ａ１，４２ｂ１の上を最初に通過する。
【００５０】
これにより、含まれる水分を測定する穀粒の大きさを変更する場合に、穀粒移動板４３のみを変更することによって、ホッパ４１に投入された穀粒を対応する水分測定部３１に供給することできるので、部品点数の低減を図ることができるとともに、穀粒の水分を測定する際における誤設定を防止することが可能となる。
【００５１】
また、複数の穀粒移動板４３は、それぞれ、円板状に形成され、所定の動作として、ホッパ４１内において径方向中央部を中心に回転動作を行うものであり、互いに径方向に異なる位置に保持開口４３ａが形成され、複数の連通孔４２ａ１，４２ｂ１は、それぞれ、複数の穀粒移動板４３のそれぞれの保持開口４３ａに対応する位置に設けられている。
【００５２】
これにより、回転動作を行う穀粒移動板４３によって、ホッパ内の穀粒を連通孔４２ａ１，４２ｂ１に向けて移動させることが可能となるので、穀粒移動板４３の動作時における大きな動作スペースが必要ないため、装置の小型化を図ることが可能となる。
【００５３】
また、複数の水分測定部３１は、それぞれ穀粒を潰す対を成すローラ３１ｃ，３１ｄ，３１ｅを有している。
【００５４】
これにより、外周部の形状が異なるローラを用いることにより、水分を測定する穀粒の大きさを変更することが可能となるので、設定変更が容易となる。
【００５５】
尚、前記実施形態では、回転動作によってホッパ４１に投入された穀粒を移動させる穀粒移動板４３を示したが、これに限られるものではない。ホッパ４１に投入された穀粒を移動させることができるものであれば、ホッパ内において所定の方向に往復動する穀粒移動板であってもよい。
【００５６】
また、前記実施形態では、複数の水分測定部３１を、それぞれ対を成す第１ローラ３１ｃと第２ローラ３１ｄ及び第１ローラ３１ｃと第３ローラ３１ｅから構成したものを示したが、これに限られるものではない。穀粒の大きさに応じて水分を測定する部材を変更するものであれば、対を成すローラを有する水分測定部に限られない。
【００５７】
また、前記実施形態では、２つの水分測定部３１Ａ，３１Ｂ、２つの連通路４２ａ，４２ｂ及び２つの穀粒移動板４３−１，４３−２によって２種類の大きさの穀粒の水分を測定するようにしたものを示したが、これに限られるものではない。３以上の水分測定部、３以上の連通路及び３以上の穀粒移動板を備えることで、３種類以上の大きさの穀粒の水分を測定することも可能である。
【符号の説明】
【００５８】
１…穀物乾燥機、１０…水分測定装置、３１…水分測定部、３１Ａ…第１水分測定部、３１Ｂ…第２水分測定部、４１…ホッパ、４２…連通部材、４２ａ…第１連通路、４２ａ１…第１連通孔、４２ｂ…第２連通路、４２ｂ１…第２連通孔、４３…穀粒移動板、４３ａ…保持開口、４３−１…第１穀粒移動板、４３−２…第２穀粒移動板。
【図１】
2020034254.tif 000003
【図２】
2020034254.tif 000004
【図３】
2020034254.tif 000005
【図４】
2020034254.tif 000006
【図５】
2020034254.tif 000007
【図６】
2020034254.tif 000008
【図７】
2020034254.tif 000009
【図８】
2020034254.tif 000010
【図９】
2020034254.tif 000011
【図１０】
2020034254.tif 000012